(57)【特許請求の範囲】
【請求項１】
複数個が配列されて表示装置の表示部を構成する表示ユニットであって、
表示光を発する発光部と、
前記発光部の表示特性情報と前記表示特性情報に基づいて求められる色度変換用のパラメータとを含む情報を格納する記憶部と、
画像データ及び前記パラメータを取得し、前記画像データを前記パラメータに基づいて色度変換する色度変換部とを備え、
前記表示部を構成する複数の前記表示ユニットに共通の色度範囲を含む所定の色度範囲の情報と前記表示特性情報とを取得し、前記色度範囲情報と前記表示特性情報とに基づいて前記パラメータを求める演算部を更に備えることを特徴とする、
表示ユニット。
【請求項２】
複数個が配列されて表示装置の表示部を構成する表示ユニットであって、
表示光を発する発光部と、
前記発光部の表示特性情報と前記表示特性情報に基づいて求められる色度変換用のパラメータとを含む情報を格納する記憶部と、
画像データ及び前記パラメータを取得し、前記画像データを前記パラメータに基づいて色度変換する色度変換部とを備え、
前記発光部は複数のブロックに分割されており、
前記情報は各前記ブロック毎の情報を含み、
前記色度変換部は、各前記ブロック毎の前記パラメータに基づいて前記画像データを前記ブロック毎に色度変換し、
前記表示部を構成する複数の前記表示ユニットに共通の色度範囲を含む所定の色度範囲の情報と各前記ブロック毎の前記表示特性情報とを取得し、前記色度範囲情報と各前記ブロック毎の前記表示特性情報とに基づいて各前記ブロック毎の前記パラメータを求める演算部を更に備えることを特徴とする、
表示ユニット。
【請求項３】
表示光を発する発光部をそれぞれが有すると共に配列されて表示装置の表示部を構成する複数の表示ユニットの表示を調整する表示調整装置であって、
各前記表示ユニットは、それぞれの前記発光部の色度情報を保有しており、
前記表示調整装置は、
前記複数の表示ユニットの外部に各前記表示ユニットと通信可能に設けられ、
前記複数の表示ユニットの一部が交換された場合に、交換後の各前記表示ユニットから前記色度情報を自動的に取得し、全ての前記色度情報に基づいて、交換後の前記複数の表示ユニットに共通の色度範囲を含む所定の色度範囲を自動的に決定する色度範囲決定部を備えることを特徴とする、
表示調整装置。
【請求項４】
請求項３に記載の表示調整装置であって、
前記所定の色度範囲の情報と各前記色度情報とを取得し、前記色度範囲情報と各前記色度情報とに基づいて前記表示ユニット毎の色度変換用のパラメータを求める演算部を更に備えることを特徴とする、
表示調整装置。
【請求項５】
請求項３に記載の表示調整装置であって、
各前記表示ユニットの各前記発光部は複数のブロックに分割されており、前記色度情報は各前記ブロック毎の色度情報を含み、
前記色度範囲決定部は、
全ての前記ブロックの前記色度情報に基づいて、前記複数の表示ユニットの全ての前記ブロックに共通の色度範囲を含む色度範囲を前記所定の色度範囲として決定することを特徴とする、
表示調整装置。
【請求項６】
請求項５に記載の表示調整装置であって、
前記所定の色度範囲の情報と各前記ブロック毎の前記色度情報を取得し、前記色度範囲情報と各前記ブロック毎の前記色度情報とに基づいて、各前記ブロック毎の色度変換用のパラメータを求める演算部を更に備えることを特徴とする、
表示調整装置。
【請求項７】
複数の表示ユニットが配列されて成る表示部と、
前記複数の表示ユニットの外部に各前記表示ユニットと通信可能に設けられて前記複数の表示ユニットの表示を調整する表示調整装置と、
演算部とを備え、
各前記表示ユニットは、
表示光を発する発光部と、
前記発光部の色度情報と前記色度情報に基づいて求められる色度変換用のパラメータとを含む情報を格納する記憶部と、
画像データ及び前記パラメータを取得し、前記画像データを前記パラメータに基づいて色度変換する色度変換部とを備え、
前記表示調整装置は、
前記複数の表示ユニットの一部が交換された場合に、交換後の各前記表示ユニットから前記色度情報を自動的に取得し、全ての前記色度情報に基づいて、交換後の前記複数の表示ユニットに共通の色度範囲を含む所定の色度範囲を自動的に決定する色度範囲決定部とを備え、
前記演算部は、
前記所定の色度範囲の情報と各前記色度情報とを取得し、前記色度範囲情報と各前記色度情報とに基づいて各前記表示ユニット毎の前記パラメータを求めることを特徴とする、
表示装置。
【請求項８】
請求項７に記載の表示装置であって、
前記演算部は、前記表示調整装置内に設けられており、
前記表示調整装置は、演算部が求めた各前記パラメータを、対応する各前記表示ユニットへ送信することを特徴とする、
表示装置。
【請求項９】
請求項８に記載の表示装置であって、
請求項１に記載の表示ユニットと請求項４に記載の表示調整装置との組み合わせ、又は、
請求項２に記載の表示ユニットと請求項６に記載の表示調整装置との組み合わせのいずれかを含むことを特徴とする、
表示装置。
【請求項１０】
請求項７に記載の表示装置であって、
前記演算部は複数の演算部を含み、前記複数の演算部はそれぞれ各前記表示ユニット内に設けられており、
前記表示調整装置は、前記色度範囲情報を、各前記表示ユニットへ送信することを特徴とする、
表示装置。
【請求項１１】
請求項１０に記載の表示装置であって、
請求項１に記載の表示ユニットと請求項３に記載の表示調整装置との組み合わせ、又は、
請求項２に記載の表示ユニットと請求項５に記載の表示調整装置との組み合わせのいずれかを含むことを特徴とする、
表示装置。
【発明の詳細な説明】
【０００１】
【発明の属する技術分野】
本発明は、例えば野球場や競馬場で使用される、複数の表示ユニットで以て画面ないしは表示部が構成される大型表示装置（以下単に「表示装置」とも呼ぶ）に関し、特に上記表示部全体の色調を均一化する技術に関する。
【０００２】
【従来の技術】
大型表示装置は、多数の表示素子（例えば発光ダイオード（ＬＥＤ））及びそれらを駆動・制御する回路から成る表示ユニットを多数配列して構成されている。このような表示装置では画面全体の表示を均一にすることが望まれており、各表示ユニット間で各色の色度や輝度等が同等になるように製造上の様々な工夫がなされている。
【０００３】
例えば、ＬＥＤの色度（波長）や輝度には製造工程に起因して各素子間でばらつきがある。このため、各ＬＥＤは最終試験工程において色度（波長）や輝度等でいくつかのランクに選別され、その上で表示ユニットの製造工程へ投入される。例えば、１つの表示装置に使用するＬＥＤのランクを限定し、更にそのＬＥＤを色毎に表示装置の全面に散在させる。このように、従来の大型表示装置では製造上の部品管理によって画面全体の色度を均一化している。
【０００４】
更に、従来の大型表示装置では、単一の（同一の）パラメータで以て全ての表示ユニットの（即ち表示装置の画面全体の）色度変換を行うことより所望の色を得ている。
【０００５】
【発明が解決しようとする課題】
従来の大型表示装置では上述のように装置全体としての色度等が予めに調整・設定されている。このため、表示装置を成す複数の表示ユニットの内の一部を交換する必要が生じた場合や組み立て後に表示ユニットを追加して表示装置を大型化する場合に、不都合が発生する。具体的には、まず、上述のように使用するＬＥＤを選別・限定しているので、後から同じ色度の表示ユニットを製造することは困難である。更に、上述のように単一のパラメータで以て装置全体の色度を調整するので、当初の表示ユニットと交換・追加した表示ユニットとの間で色度を合わせることが難しい。
【０００６】
この問題点を解決しうる方法の１つとして、表示ユニット毎に色度を可変にした構成が考えられる。しかしながら、このような構成では個々の表示ユニットを調節しなければならない。更に、目標とする色度（又は色度範囲）が適正であるか否か、又、全ての表示ユニットが目標の色度に調整可能であるか否かは、表示装置全体の調整が完了するまで分からない。即ち、調整終了後に目標色度が不適切であることが判明した場合や、調整途中において目標色度に調整することができない表示ユニットが見つかった場合、目標色度を変更して調整をやり直さなければならない。このように、単に各表示ユニットの色度を可変にした構成では、表示装置全体の調整には多大な時間を要してしまうという問題点がある。
【０００７】
なお、上述の各問題点は、表示ユニットの発光部を、交換可能な又個別に調整が可能な複数のサブユニットで構成する場合においても生じうる。
【０００８】
本発明はかかる点に鑑みてなされたものであり、各表示ユニット毎に色度を調整することができ、表示部全体として均一な色調の画像が得られる表示装置を提供することを第１の目的とする。
【０００９】
更に、本発明は、各表示ユニット毎の色度調整を自動的に実行可能な表示装置を提供することを第２の目的とする。
【００１０】
また、本発明は、部品コストをより安価にしうる又は色度調整時間をより短縮しうる表示装置を提供することを第３の目的とする。
【００１１】
更に、本発明は、上記第１乃至第３の目的を実現しうる表示ユニット及び表示調整装置を提供することを第４の目的とする。
【００１２】
【課題を解決するための手段】
（１）請求項１に記載の発明に係る表示ユニットは、複数個が配列されて表示装置の表示部を構成する表示ユニットであって、表示光を発する発光部と、前記発光部の表示特性情報と前記表示特性情報に基づいて求められる色度変換用のパラメータとを含む情報を格納する記憶部と、画像データ及び前記パラメータを取得し、前記画像データを前記パラメータに基づいて色度変換する色度変換部とを備え、前記表示部を構成する複数の前記表示ユニットに共通の色度範囲を含む所定の色度範囲の情報と前記表示特性情報とを取得し、前記色度範囲情報と前記表示特性情報とに基づいて前記パラメータを求める演算部を更に備えることを特徴とする。
【００１５】
（２）請求項２に記載の発明に係る表示ユニットは、複数個が配列されて表示装置の表示部を構成する表示ユニットであって、表示光を発する発光部と、前記発光部の表示特性情報と前記表示特性情報に基づいて求められる色度変換用のパラメータとを含む情報を格納する記憶部と、画像データ及び前記パラメータを取得し、前記画像データを前記パラメータに基づいて色度変換する色度変換部とを備え、前記発光部は複数のブロックに分割されており、前記情報は各前記ブロック毎の情報を含み、前記色度変換部は、各前記ブロック毎の前記パラメータに基づいて前記画像データを前記ブロック毎に色度変換し、前記表示部を構成する複数の前記表示ユニットに共通の色度範囲を含む所定の色度範囲の情報と各前記ブロック毎の前記表示特性情報とを取得し、前記色度範囲情報と各前記ブロック毎の前記表示特性情報とに基づいて各前記ブロック毎の前記パラメータを求める演算部を更に備えることを特徴とする。
【００１７】
（３）請求項３に記載の発明に係る表示調整装置は、表示光を発する発光部をそれぞれが有すると共に配列されて表示装置の表示部を構成する複数の表示ユニットの表示を調整する表示調整装置であって、各前記表示ユニットは、それぞれの前記発光部の色度情報を含む情報を保有しており、前記表示調整装置は、前記複数の表示ユニットの外部に各前記表示ユニットと通信可能に設けられ、前記複数の表示ユニットの一部が交換された場合に、交換後の各前記表示ユニットから前記色度情報を自動的に取得し、全ての前記色度情報に基づいて、交換後の前記複数の表示ユニットに共通の色度範囲を含む所定の色度範囲を自動的に決定する色度範囲決定部を備えることを特徴とする。
【００１８】
（４）請求項４に記載の発明に係る表示調整装置は、請求項３に記載の表示調整装置であって、前記所定の色度範囲の情報と各前記色度情報とを取得し、前記色度範囲情報と各前記色度情報とに基づいて前記表示ユニット毎の色度変換用のパラメータを求める演算部を更に備えることを特徴とする。
【００１９】
（５）請求項５に記載の発明に係る表示調整装置は、請求項３に記載の表示調整装置であって、各前記表示ユニットの各前記発光部は複数のブロックに分割されており、前記色度情報は各前記ブロック毎の色度情報を含み、前記色度範囲決定部は、全ての前記ブロックの前記色度情報に基づいて、前記複数の表示ユニットの全ての前記ブロックに共通の色度範囲を含む色度範囲を前記所定の色度範囲として決定することを特徴とする。
【００２０】
（６）請求項６に記載の発明に係る表示調整装置は、請求項５に記載の表示調整装置であって、前記所定の色度範囲の情報と各前記ブロック毎の前記色度情報を取得し、前記色度範囲情報と各前記ブロック毎の前記色度情報とに基づいて、各前記ブロック毎の色度変換用のパラメータを求める演算部を更に備えることを特徴とする。
【００２１】
（７）請求項７に記載の発明に係る表示装置は、複数の表示ユニットが配列されて成る表示部と、前記複数の表示ユニットの外部に各前記表示ユニットと通信可能に設けられて前記複数の表示ユニットの表示を調整する表示調整装置と、演算部とを備え、各前記表示ユニットは、表示光を発する発光部と、前記発光部の色度情報と前記色度情報に基づいて求められる色度変換用のパラメータとを含む情報を格納する記憶部と、画像データ及び前記パラメータを取得し、前記画像データを前記パラメータに基づいて色度変換する色度変換部とを備え、前記表示調整装置は、前記複数の表示ユニットの一部が交換された場合に、交換後の各前記表示ユニットから前記色度情報を自動的に取得し、全ての前記色度情報に基づいて、交換後の前記複数の表示ユニットに共通の色度範囲を含む所定の色度範囲を自動的に決定する色度範囲決定部とを備え、前記演算部は、前記所定の色度範囲の情報と各前記色度情報とを取得し、前記色度範囲情報と各前記色度情報とに基づいて各前記表示ユニット毎の前記パラメータを求めることを特徴とする。
【００２２】
（８）請求項８に記載の発明に係る表示装置は、請求項７に記載の表示装置であって、前記演算部は、前記表示調整装置内に設けられており、前記表示調整装置は、演算部が求めた各前記パラメータを、対応する各前記表示ユニットへ送信することを特徴とする。
【００２３】
（９）請求項９に記載の発明に係る表示装置は、請求項８に記載の表示装置であって、請求項１に記載の表示ユニットと請求項４に記載の表示調整装置との組み合わせ、又は、請求項２に記載の表示ユニットと請求項６に記載の表示調整装置との組み合わせのいずれかを含むことを特徴とする。
【００２４】
（１０）請求項１０に記載の発明に係る表示装置は、請求項７に記載の表示装置であって、前記演算部は複数の演算部を含み、前記複数の演算部はそれぞれ各前記表示ユニット内に設けられており、前記表示調整装置は、前記色度範囲情報を、各前記表示ユニットへ送信することを特徴とする。
【００２５】
（１１）請求項１１に記載の発明に係る表示装置は、請求項１０に記載の表示装置であって、請求項１に記載の表示ユニットと請求項３に記載の表示調整装置との組み合わせ、又は、請求項２に記載の表示ユニットと請求項５に記載の表示調整装置との組み合わせのいずれかを含むことを特徴とする。
【００２６】
【発明の実施の形態】
＜実施の形態１＞
Ａ．大型表示装置１００の構成
図１に実施の形態１に係る大型表示装置（以下単に表示装置とも呼ぶ）１００の模式的な構成図を示す。図１に示すように、表示装置１００は、表示部３０と、表示部３０の外部に配置された画像データ生成部１０及び表示調整部（又は表示調整装置）２０とを備える。表示部３０は複数の表示ユニット４０が例えばマトリクス状に配置されて成り、各表示ユニット４０は画像データ伝送ライン１０Ｌを介して画像データ生成部１０と接続されている。なお、図１では縦方向に並ぶ表示ユニット４０群毎に共通に画像データＤを送信するように伝送ライン１０Ｌが設けられている場合を図示しているが、（大容量の）１本の伝送ライン１０Ｌで全ての表示ユニット４０を共通に接続しても構わないし、又、各表示ユニット毎に１本ずつの伝送ライン１０Ｌを設けても構わない。
【００２７】
表示調整部２０は表示部３０の、換言すれば全ての表示ユニット４０の表示を調整する。特に、各表示ユニット４０と表示調整部２０とは伝送ライン（又は通信ライン）２０Ｌを介して接続されており、双方向に種々の情報を通信することができる。なお、上述の伝送ライン１０Ｌと同様に、伝送ライン２０Ｌによる各表示ユニット４０と表示調整部２０との接続形態は種々適用可能である。
【００２８】
Ａ−１．画像データ生成部１０
図２に画像データ生成部１０の模式的な構成図を示す。画像データ生成部１０は、アナログ−デジタル変換部（以下「Ａ／Ｄ変換部」とも呼ぶ。また図中では「Ａ／Ｄ」と記す）１１と、画像信号処理部１２と、画像データ送信部１３とを備える。
【００２９】
詳細には、画像データ生成部１０へ入力されたアナログの画像信号Ｓは、まずＡ／Ｄ変換部１１によりデジタル信号に変換される。そして、デジタル変換後の画像データに対して、画像信号処理部１２が表示部３０の特性に合わせてγ変換や解像度変換等のデジタル画像処理を行う。その後、画像データ送信部１３が画像データに、各表示ユニット４０に対応した属性情報（例えば画面全体においてどの部分の画像データであるか等の情報）を付与した上で、画像データＤとして伝送ライン１０Ｌを介して各表示ユニット４０へ送信する。
【００３０】
Ａ−２．表示調整部２０
図３に表示調整部２０の模式的な構成図を示す。表示調整部２０は、色度範囲決定部２１と、パラメータ演算部（以下の説明及び図中では単に「演算部」とも呼ぶ）２２と、パラメータ送信部２３と、表示ユニット情報送受信部（以下の説明及び図中では単に「送受信部」とも呼ぶ）２４とを備える。
【００３１】
詳細には、送受信部２４は伝送ライン２０Ｌを介して表示ユニット４０と各種の通信を行う。そして、色度範囲決定部２１は、各表示ユニット４０の記憶部４２（図４参照）内に格納されている各表示ユニット４０の表示特性の情報（色度情報及び輝度情報等）ＣＬを送受信部２４を介して取得し、全ての表示ユニット４０の表示特性に基づいて（後述の）所定の色度範囲Ｒを決定する。演算部２２は上記色度範囲Ｒと各表示ユニット４０の表示特性とに基づいて各表示ユニット４０用の色度変換パラメータＰを求める。なお、色度範囲Ｒ及びパラメータＰについては後述する。パラメータ送信部２３は、演算部２２が求めたパラメータＰを送受信部２４を介して各表示ユニット４０へ送信する。
【００３２】
Ａ−３．表示ユニット４０
図４に表示ユニット４０の模式的な構成図を示す。表示ユニット４０は、表示ユニット情報送受信部（送受信部）４４と、通信制御部（以下の説明及び図中では単に「制御部」とも呼ぶ）４１と、記憶部４２と、画像データ受信部４３と、色度変換部４５と、画像データ変換部４６と、発光部４８と、発光部４８の駆動部４７とを備える。
【００３３】
詳細には、発光部４８は例えば赤色，緑色及び青色の各発光を発する発光ダイオード（ＬＥＤ）をそれぞれ多数、集積して成り、表示ユニット４０の又は表示装置１００の表示光を発する。
【００３４】
送受信部４４は、伝送ライン２０Ｌを介して表示調整部２０の送受信部２４と各種の通信を行う。制御部４１は送受信部４４の制御，記憶部４２に対する各種情報やデータの書き込み及び読み出し，色度変換部４５へのパラメータＰの送信等を行う。記憶部４２は例えば不揮発性メモリから成り、発光部４８の表示特性情報（色度情報や輝度情報等）ＣＬ，パラメータＰ，その表示ユニット４０の機器番号Ｉ等の情報・データを格納している。なお、色度情報及び輝度情報等の表示特性情報ＣＬは発光部４８の特性を予め測定することにより得られ、記憶部４２に格納されている。色度情報として例えば発光部４８が発する赤色，緑色及び青色の発光の各色度座標が挙げられる。
【００３５】
画像データ受信部４３は、伝送ライン１０Ｌを介して画像データＤを受信して色度変換部４５へ受け渡す。色度変換部４５は、画像データＤと共に制御部４１が送信するパラメータＰを受信する。そして、パラメータＰに基づいて画像データＤの色度を変換し、変換後の画像データＤ１を出力する。画像データ変換部４６は画像データＤ１を受信して発光部４８の表示素子（ここではＬＥＤ）に適した駆動信号Ｄ２に変換し、これを出力する。駆動部４７は駆動信号Ｄ２に基づいて発光部４８を駆動する。
【００３６】
Ｂ．表示装置１００の動作
次に、表示装置１００の動作を説明する。ここでは、色度変換用のパラメータＰを新たに設定する場合、例えば表示部３０を新たに組み立てた直後や表示部３０を構成する表示ユニット４０の一部を交換した直後等における、表示装置１００の動作ないしは操作を中心に説明する。
【００３７】
まず、表示調整部２０は、伝送ライン２０Ｌを介して、各表示ユニット４０が保有する表示特性情報（色度情報や輝度情報等）ＣＬ及び機器番号Ｉを取得する。例えば、操作者のボタン操作等によって表示ユニット２０が各表示ユニット４０へ要求信号を送信する。そして、当該要求信号を受信した各表示ユニット４０の制御部４１が記憶部４２から色度情報，輝度情報等の表示特性情報ＣＬ及び機器番号Ｉを読み出し、表示特性情報ＣＬに機器番号Ｉを対応付けて表示調整部２０へ送信する。表示調整部２０の色度範囲決定部２１は、受信した全ての表示特性情報ＣＬに基づいて所定の色度範囲Ｒを決定する。
【００３８】
ここで、上述の色度範囲Ｒの決定方法を説明する。まず、目標とする色度範囲を３原色の色度座標で形成される３角形として色度座標図上に表す。同様に、各表示ユニット４０の表示特性情報ＣＬに基づいて各表示ユニット４０毎の３角形を形成する。そして、目標の３角形と各表示ユニット４０の３角形それぞれとの共通部分を求める。次に、求められた（複数の）共通部分の内の２つずつを重ね合わせて両者の共通部分を求める。このような共通部分同士の共通部分を求めるという処理を繰り返すことにより、最終的に全ての表示ユニット４０に共通の部分が得られる。この最終的な共通部分の３角形の各頂点を表示部３０としての設定色度範囲（所定の色度範囲）Ｒとして決定する。
【００３９】
また、以下の方法により設定色度範囲Ｒを決定しても良い。即ち、上述の色度範囲Ｒ（図５の模式的な色度座標図中の３角形ｒｐｑを参照）を含み、所定の許容量だけ大きい３角形内に、設定色度範囲Ｒの３角形を規定しても構わない。例えば図５において点ｒから許容値ΔＸ，ΔＹの範囲内の点ｄを有する３角形ｄｐｑを採用する。このとき、３角形ａｐｑ，ｂｐｑに対応する表示ユニット４０は３角形ｄｐｑの色度範囲の表示が可能である一方、３角形ｃｐｑ，ｅｐｑに対応する表示ユニット４０は表示できない色度領域が生じる。このため、後者の３角形ｃｐｑ，ｅｐｑに対応する表示ユニット４０に対しては、上述の共通の３角形ｒｐｑを設定色度範囲Ｒとして規定する。かかる決定方法によれば、許容の色度ムラの範囲内においてより広い色度範囲で以て画像を表示することができる。
【００４０】
図５及び上述の説明では説明の理解を助けるために点ｐ，ｑが各３角形間で同じである場合を述べたが、各点ｐ，ｑに対しても各３角形間でバラツキが生じうる。かかる場合、各点ｐ，ｑに対しても上述の点ｒに対する処理と同様の処理を実行する。
【００４１】
なお、その他の方法によって設定色度範囲Ｒを求めても構わない。また、色度座標空間としてｘ−ｙ座標系，ｕ−ｖ座標系，ｕ’−ｖ’座標系等のいずれを判定基準にしても良い。
【００４２】
このようにして、色度範囲決定部２１は、全ての表示ユニットに共通の色度範囲又は当該共通の色度範囲に許容範囲を加えた色度範囲を（従って表示部３０を構成する複数の表示ユニット４０に共通の色度範囲を含む色度範囲を）、設定色度範囲（所定の色度範囲）Ｒとして決定する。
【００４３】
そして、色度範囲決定部２１は、求めた色度範囲Ｒの情報（説明の便宜上、当該色度範囲情報にも符号Ｒを用いることにする）と各表示ユニット４０の表示特性情報ＣＬ及び機器番号Ｉとを演算部２２へ出力する。
【００４４】
演算部２２は、各表示ユニット４０が色度範囲Ｒでの表示を実現するための、具体的には入力画像信号Ｓの色度範囲内の各点を上述の設定色度範囲Ｒ内の対応する点へ変換するための色度変換パラメータＰを各表示ユニット４０毎に求める。なお、色度変換パラメータの決定方法として例えば特開平８−３１７４１４号公報等に開示される種々の方法が適用可能である。例えば、所定のマッピングにより入力画像信号Ｓの色度範囲内の各点を上述の設定色度範囲Ｒ内の各対応点へ変換する。或いは、表示ユニット４０が表示できない色度範囲にある色度点を、当該範囲外の色度点と白色点とを結ぶ直線上において設定色度範囲Ｒ内に最も近い点に変換する。或いは、上述の範囲外の点から設定色度範囲Ｒへ下ろした垂線と当該色度範囲Ｒとの交点へ上述の範囲外の点を変換する。パラメータＰはこのような処理を与えるパラメータである。
【００４５】
そして、演算部２２はパラメータＰ及び機器番号Ｉをパラメータ送信部２３へ出力する。パラメータ送信部２３はパラメータＰを機器番号Ｉに対応付けて送受信部２４及び伝送ライン２０Ｌを介して送信する。
【００４６】
各表示ユニット４０の制御部４１は、それぞれの機器番号Ｉに対応したパラメータＰを送受信部４４を介して受信し、パラメータＰを色度変換部４５へ送ると共に記憶部４２へ格納する。他方、画像データ生成部１０からの画像データＤを画像データ受信部４３が受信し、色度変換部４５へ送る。色度変換部４５は、パラメータＰを用いて画像データＤの色度を変換し、変換後の画像データＤ１を画像データ変換部４６へ出力する。画像データ変換部４６は画像データＤ１をＬＥＤ用の駆動信号Ｄ２に変換して出力し、駆動部４７は駆動信号Ｄ２に基づいて発光部４８を駆動する。これにより発光部４８が表示光を発し、表示部３０に画像が表示される。
【００４７】
なお、上述のようにパラメータＰは記憶部４２に格納されているので、表示部３０の構成に変更が生じない限り改めてパラメータＰを算出する必要は無い。即ち、色度変換部４５は、通常動作時には記憶部４２内のパラメータＰを制御部４１を介して取得することによって色度変換を実行することができる。なお、図４中の破線Ａ１で示すように、色度変換部４５が直接に記憶部４２へアクセス可能に構成しても構わない。
【００４８】
表示装置１００によれば以下の効果を得ることができる。まず、各表示ユニット４０はそれぞれ発光部４８の表示特性情報ＣＬを有しているので、又、演算部２２は各表示ユニット４０毎に色度変換用のパラメータＰを求めるので、各表示ユニット４０毎に表示画像の色度を調整することができる。従って、表示装置１００の表示部３０全体として均一な色調の画像を得ることができる。しかも、表示装置１００によれば、各表示ユニット４０と表示調整部２０とが通信可能に設けられているので、上述の色度調整を自動的に実行することができる。
【００４９】
＜実施の形態２＞
さて、表示装置１００では表示調整部２０内に設けられている演算部２２は、表示部３０側に設けても構わない。実施の形態２ではそのような形態の表示装置を説明する。なお、以下の説明では、表示装置１００との相違点を中心を述べるものとし、既述の構成要素と同等の構成要素には同一の符号を付してその説明を援用するに留める。かかる点は後述の実施の形態３等においても同様とする。
【００５０】
図６に実施の形態２に係る表示装置１００Ｂの模式的な構成図を示す。表示装置１００Ｂは、表示調整部２０Ｂと、表示部３０Ｂと、既述の画像データ生成部１０とを備える。なお、表示部３０Ｂは、複数の表示ユニット４０Ｂが例えばマトリクス状に配置されて成る。
【００５１】
図７に表示調整部２０Ｂの模式的な構成図を示す。図７と既述の図３とを比較すれば分かるように、表示調整部２０Ｂは、演算部２２を有さない一方、パラメータ送信部２３に変えて色度範囲情報送信部２３Ｂを備える。色度範囲情報送信部２３Ｂは、色度範囲決定部２１が出力する色度範囲情報Ｒを受け取り、受信部２４及び伝送ライン２０Ｌを介して送信する。
【００５２】
なお、色度範囲情報Ｒは全ての表示ユニット４０Ｂに共通の（同一の）情報である点に鑑みれば、色度範囲決定部２１は各表示ユニット４０Ｂの機器番号Ｉの取得を要しない。
【００５３】
図８に表示ユニット４０Ｂの模式的な構成図を示す。図８と既述の図４とを比較すれば分かるように、表示ユニット４０Ｂは、表示ユニット４０にパラメータ演算部２２Ｂを加えた構成を有する。演算部２２Ｂは、既述の演算部２２と同様にして色度変換パラメータＰを算出する。
【００５４】
詳細には、制御部４１は色度範囲情報Ｒを送受信部４４を介して受信し、表示特性情報ＣＬと共に演算部２２Ｂへ送る。演算部２２Ｂは既述の演算部２２と同様にして色度変換パラメータＰを求め、これを制御部４１へ引き渡す。制御部４１はパラメータＰを色度変換部４５へ出力すると共に、記憶部４２へ格納する。なお、図８中の破線Ａ２で示すように、演算部２２ＢがパラメータＰを直接に色度変換部４５へ出力し又直接に記憶部４２へ格納する形態でも構わない。色度変換部４５，画像データ変換部４６，駆動部４７及び発光部４８は表示装置１００と同様に動作する。
【００５５】
なお、上述のようにパラメータＰは記憶部４２に格納されているので、通常動作時においては色度変換部４５は以下のように色度変換を実行することができる。即ち、色度変換部４５は、制御部４１と演算部２２Ｂとの一方又は双方を介して、又は直接に（図８中の破線Ａ１参照）記憶部４２内のパラメータＰを取得することができる。
【００５６】
表示装置１００Ｂによれば、表示装置１００が奏する上述の効果に加えて以下の効果を得ることができる。即ち、各表示ユニット４０Ｂ内にそれぞれ演算部２２Ｂが設けられているので、各表示ユニット４０において別々に又は並列にパラメータＰを求めることができる。更に、色度範囲情報Ｒは全ての表示ユニット４０Ｂに共通（同一）の情報なので、全ての表示ユニット４０Ｂに対して色度範囲情報Ｒを一括して（同時に）送信することができる。従って、表示装置１００と比較して、パラメータＰの算出時間を更には色度調整時間を短縮することができる。
【００５７】
なお、表示装置のコストの観点においては、表示調整部２０内に（１つの）演算部２２を備える表示装置１００の方が好ましい。
【００５８】
＜実施の形態３＞
さて、上述の表示装置１００，１００Ｂでは、一部の表示素子に不具合が生じた場合、その表示素子を含む表示ユニット４０，４０Ｂ全体を交換する必要がある。即ち、不具合の無い多数の表示素子までをも交換しなければならない場合がある。そこで、実施の形態３では、表示装置１００が奏する上述の効果を得つつ、表示装置１００よりも交換部品数を削減可能な表示装置１００Ｃを説明する。
【００５９】
Ａ．表示装置１００Ｃ及び表示ユニット４０Ｃの構成
図９に実施の形態３に係る表示ユニット４０Ｃの模式的な構成図を示す。なお、実施の形態３に係る表示装置１００Ｃ（図示せず）は、複数の表示ユニット４０Ｃが例えばマトリクス状に配置されて成る表示部３０Ｃ（図示せず）と、既述の画像データ生成部１０及び表示調整部２０とを備える。
【００６０】
図９と既述の図４とを比較すれば分かるように、表示ユニット４０Ｃは、表示ユニット４０の発光部４８及び駆動部４７に変えて複数のサブユニット４９を備える。詳細には、表示ユニット４０Ｃでは、既述の発光部４８が複数のブロック（以下、発光部４８Ｂとも呼ぶ）に分割されて成り、各サブユニット４９は（１つの）発光部４８Ｂと、その発光部４８Ｂ用の駆動部４７Ｂとから成る。駆動部４７Ｂは既述の駆動部４７と同様に動作する。なお、図面の煩雑化を避けるため、図９では１つのサブユニット４９についてのみ詳細な図示化をしている。
【００６１】
このような構成に対応して、画像データ変換部４６は各サブユニット４９へ駆動信号Ｄ２を出力する。更に、表示特性情報（色度情報や輝度情報等）ＣＬや色度変換パラメータＰはそれぞれ各サブユニット４９毎に（従って発光部４８Ｂ毎に）規定されており、又、各サブユニット４９には機器番号Ｉに対応したサブユニット番号Ｊが割り当てられている。表示特性情報ＣＬ及び色度変換パラメータＰはサブユニット番号Ｊに対応付けられて記憶部４２に格納されている。なお、説明の簡単のために、ここでは表示部３０Ｃにおいて全てのサブユニット番号Ｊは重複しないものとする。
【００６２】
また、表示ユニット４０Ｃは表示ユニット４０に対してパラメータ切替部５１を更に備え、画像データ受信部４３に変えて画像データ受信部４３Ｂを備える。画像データ受信部４３Ｂは既述の画像データ受信部４３と同様に動作すると共に、受信した画像データＤがいずれのサブユニット４９又は発光部４８Ｂに対応するかに関する画像情報Ｄ４９をパラメータ切替部５１へ出力する。
【００６３】
Ｂ．表示装置１００Ｃの動作
次に、表示装置１００Ｃの動作を説明する。表示特性情報ＣＬ等が各サブユニット４９毎に規定されているのに対応して、表示調整部２０は以下の処理を実行する。即ち、表示調整部２０は全表示ユニット４０Ｃから各サブユニット４９毎の（従って各発光部４８Ｂ毎の）表示特性情報ＣＬをサブユニット番号Ｊに対応付けて取得する。そして、色度範囲決定部２１は、表示部３０Ｃを成す全ての発光部４８Ｂの表示特性情報ＣＬに基づいて、表示部３０Ｃを成す全ての発光部４８Ｂに共通の色度範囲を含む色度範囲を、設定色度範囲（所定の色度範囲）Ｒとして決定する。演算部２２は色度範囲Ｒと各サブユニット４９毎の表示特性情報ＣＬとに基づいて各サブユニット４９毎に（従って各発光部４８Ｂ毎の）パラメータＰを求める。表示調整部２０は各パラメータＰをサブユニット番号Ｊに対応付けて表示ユニット４０Ｃへ送信する。
【００６４】
制御部４１は、その表示ユニット４０Ｃに属する各サブユニット４９のパラメータＰを受信し、パラメータ切替部５１へ受け渡すと共に、各パラメータＰをサブユニット番号Ｊと対応付けて記憶部４２へ格納する。
【００６５】
パラメータ切替部５１はサブユニット番号Ｊに対応付けられたパラメータＰを受け取ると共に、画像データ受信部４３Ｂから上述の画像情報Ｄ４９を受信する。そして、パラメータ切替部５１は、画像情報Ｄ４９に合わせて所定のサブユニット４９のパラメータＰを色度変換部４５へ出力する。これにより、色度変換部４５はパラメータＰに基づいて各サブユニット４９毎に（従って各発光部４８Ｂ毎に）対応する画像データＤの色度を変換して画像データＤ１（サブユニット番号Ｊに対応付けられている）を出力する。
【００６６】
画像データ変換部４６は、画像データＤ１を受信して発光部４８Ｂ用の駆動信号Ｄ２に変換し、所定のサブユニット４９へ対応する駆動信号Ｄ２を出力する。駆動部４７Ｂは駆動信号Ｄ２に基づいて発光部４８Ｂを駆動する。
【００６７】
なお、上述のように各サブユニット４９毎のパラメータＰは記憶部４２に格納されているので、通常動作時においてはパラメータ切替部５１が制御部４１を介して又は直接に（図９中の破線Ａ４参照）記憶部４２内のパラメータＰを取得することができる。
【００６８】
表示装置１００Ｃによれば、各発光部４８Ｂ毎のパラメータＰに基づいて画像データを自動的に色度変換するので、表示装置１００と同様に、表示部３０Ｃ全体として均一な色調の画像を得ることができる。
【００６９】
更に、表示ユニット４０Ｃは複数の発光部４８Ｂを備えるので、表示素子に不具合が生じた場合であってもサブユニット４９単位で（従って発光部４８Ｂ単位で）交換することができる。即ち、表示ユニット４０と比較して、交換部品数を削減することができる。
【００７０】
なお、表示装置１００Ｂのように、表示装置１００Ｃにおいて演算部２２を各表示ユニット４０Ｃに設けても構わない。そのような構成によれば表示装置１００Ｂ，１００Ｃが奏する効果を同時に得ることができる。
【００７１】
＜実施の形態４＞
図１０及び図１１に実施の形態４に係る表示装置１００Ｄ及び表示ユニット４０Ｄの模式的な構成図を示す。なお、複数の表示ユニット４０Ｄを例えばマトリクス状に配置して表示部３０Ｄが構成される。図１０及び図１１に示すように、表示装置１００Ｄは図１の表示装置１００の構成に加えて伝送信号混合／分離部（以下の説明及び図中では「混合／分離部」とも呼ぶ）６１，６２を更に備える。なお、表示ユニット４０Ｄの混合／分離部６２以外の構成は図４の表示ユニット４０と同様である。
【００７２】
混合／分離部６１は、画像データ生成部１０から出力される画像データＤと表示調整部２０から出力される各種通信信号（例えばパラメータＰや各表示ユニット４０Ｄの表示特性情報ＣＬ等を取得するための要求信号）とを受信する。そして、混合／分離部６１は、画像データＤ（上述の属性情報を抜いた形式のデータでも構わない）と上記通信信号とを混合し、更に画像データの属性情報の付与や機器番号Ｉとの対応付け等を施して混合信号Ｍを生成する。その後、混合／分離部６１は混合信号Ｍを伝送ライン６１Ｌを介して各表示ユニット４０Ｄへ出力する。
【００７３】
他方、表示ユニット４０Ｄの入力段として設けられた混合／分離部（又は受信信号処理部）６２は、対応する混合信号Ｍを受信して画像データＤと通信信号とに分離し、画像データＤを画像データ受信部４３へ伝送ライン６２Ｌ１を介して出力し、通信信号を伝送ライン６２Ｌ２を介して送受信部４４へ出力する。
【００７４】
このとき、上記通信信号が表示特性情報ＣＬの要求信号である場合、制御部４１は送受信部４４及び混合／分離部６２を介して表示特性情報ＣＬを送信し、表示調整部２０は混合／分離部６１を介してこれを受信する。なお、その他の構成要素は既述の動作を実行する。
【００７５】
表示装置１００Ｄによれば、表示装置１００が奏する上述の効果に加えて、表示ユニット４０Ｄへ繋がる配線（伝送ライン１０Ｌ，２０Ｌ，６１Ｌを参照）を減らすことができる。従って、表示装置において配線の取り回しを容易にすることができ、表示装置の組み立て等の作業性を向上させることができる。
【００７６】
なお、既述の表示装置１００Ｂ，１００Ｃに対して混合／分離部６１，６２を設けることも可能であり、上述の効果を得ることができる。
【００７７】
＜変形例１＞
なお、上述の説明では表示素子としてＬＥＤを用いる場合を説明したが、ＬＥＤの他に陰極線管（ＣＲＴ）や放電管等の固有の発光色度を持つ表示素子を適用することも可能である。更に、発光部４８，４８Ｂを複数種類の表示素子を混在させて構成することも可能である。
【００７８】
【発明の効果】
（１）請求項１に係る発明によれば、色度変換部は画像データを色度変換パラメータに基づいて色度変換する。このとき、上記パラメータは発光部の表示特性情報に基づいて求められる（規定される）ので、複数の表示ユニットを配列して表示装置の表示部を構成した場合に各表示ユニット毎に表示画像の色度を調整することができる。従って、表示部全体として均一な色調の画像が得られる表示装置を提供することができる。
【００７９】
また、請求項１に係る発明によれば、表示ユニットが演算部を備えるので、上述の表示装置において各表示ユニットで別々に又は並列に上記パラメータを求めることができる。従って、表示装置が１つの演算部を備え当該演算部で以て全ての表示ユニットの上記パラメータを求める場合と比較して、パラメータの算出時間を更には色度調整時間を短縮可能な表示装置を提供することができる。
【００８０】
（２）請求項２に係る発明によれば、色度変換部は画像データを色度変換パラメータに基づいて色度変換する。このとき、上記パラメータは発光部の表示特性情報に基づいて求められる（規定される）ので、複数の表示ユニットを配列して表示装置の表示部を構成した場合に各表示ユニット毎に表示画像の色度を調整することができる。従って、表示部全体として均一な色調の画像が得られる表示装置を提供することができる。また、発光部は複数のブロックに分割されており、色度変換部は各ブロック毎の上記パラメータに基づいて画像データをブロック毎に色度変換する。このため、各ブロック毎に表示画像の色度を調整することができる。従って、表示ユニット全体として均一な色調の画像を得ることができる。
【００８１】
更に、発光部は複数のブロックに分割されているので、発光部に不具合が生じた場合であっても、不具合箇所を含むブロックのみを交換することができる。即ち、発光部全体を交換しなければならない表示ユニットと比較して、交換部品数を削減することができる。
【００８２】
また更に、表示ユニットが演算部を備えるので、上述の表示装置において各表示ユニットで別々に又は並列に上記パラメータを求めることができる。従って、表示装置が１つの演算部を備え当該演算部で以て全ての表示ユニットの上記パラメータを求める場合と比較して、パラメータの算出時間を更には色度調整時間を短縮可能な表示装置を提供することができる。
【００８４】
（３）請求項３に係る発明によれば、表示調整装置が各表示ユニットと通信可能に設けられているので、色度範囲決定部はかかる通信機能を用いて各表示ユニットから表示特性情報を自動的に取得することができる。更に、表示調整装置は上述の通信機能を用いてことによって各表示ユニットの色度を自動的に調整することができる。
【００８５】
（４）請求項４に係る発明によれば、表示調整装置が演算部を備える。このため、１つの表示調整装置で以て複数の表示ユニットの表示を調整する表示装置において、各表示ユニットに演算部を設けるよりも部品コストを削減することができる。
【００８６】
（５）請求項５に係る発明によれば、色度範囲決定部は全てのブロックの色度情報に基づいて、複数の表示ユニットの全てのブロックに共通の色度範囲を含む色度範囲を所定の色度範囲として決定する。従って、表示ユニット全体として均一な色調の画像を得ることができる。
【００８７】
（６）請求項６に係る発明によれば、表示調整装置が演算部を備える。このため、１つの表示調整装置で以て複数の表示ユニットの表示を調整する表示装置において、各表示ユニットに演算部を設けるよりも部品コストを削減することができる。
【００８８】
（７）請求項７に係る発明によれば、各表示ユニットはそれぞれ発光部の色度情報等を含む情報を有しているので、又、演算部は各表示ユニット毎に色度変換用のパラメータを求めるので、各表示ユニット毎に表示画像の色度を調整することができる。従って、表示装置の表示部全体として均一な色調の画像を得ることができる。しかも、当該表示装置によれば表示部の色度を自動的に調整することができる。
【００８９】
（８）請求項８に係る発明によれば、演算部は表示調整装置内に設けられているので、各表示ユニットに演算部を設けるよりも部品コストを削減することができる。更に、表示調整装置は各パラメータを対応する各表示ユニットへ送信する。従って、表示調整装置は、各表示ユニットから上述の情報を取得し、所定の色度範囲情報及び各ユニット毎のパラメータを求め、各パラメータを送信するという一連の処理を自動的に行うことができる。
【００９０】
（９）請求項９に係る発明によれば、上述の（１），（４）及び（８）の効果を同時に発揮する表示装置を、又は上述の（２），（６）及び（８）の効果を同時に発揮する表示装置を得ることができる。
【００９１】
（１０）請求項１０に係る発明によれば、各表示ユニット内にそれぞれ演算部が設けられているので、各表示ユニットにおいて別々に又は並列に上記パラメータを求めることができる。更に、色度範囲情報は全ての表示ユニットに共通（同一）の情報なので、全ての表示ユニットに対して色度範囲情報を一括して（同時に）送信することができる。従って、表示装置が１つの演算部を備え当該演算部で以て全ての表示ユニットの上記パラメータを求める場合と比較して、パラメータの算出時間を更には色度調整時間を短縮することができる。
【００９２】
（１１）請求項１１に係る発明によれば、上述の（１），（３）及び（１０）の効果を同時に発揮する表示装置を、又は上述の（２），（５）及び（１０）の効果を同時に発揮する表示装置を得ることができる。
【図面の簡単な説明】
【図１】  実施の形態１に係る表示装置の模式的な構成図である。
【図２】  実施の形態１に係る画像データ生成部の模式的な構成図である。
【図３】  実施の形態１に係る表示調整部の模式的な構成図である。
【図４】  実施の形態１に係る表示ユニットの模式的な構成図である。
【図５】  色度範囲を説明するための模式的な色度座標図である。
【図６】  実施の形態２に係る表示装置の模式的な構成図である。
【図７】  実施の形態２に係る表示調整部の模式的な構成図である。
【図８】  実施の形態２に係る表示ユニットの模式的な構成図である。
【図９】  実施の形態３に係る表示ユニットの模式的な構成図である。
【図１０】  実施の形態４に係る表示装置の模式的な構成図である。
【図１１】  実施の形態４に係る表示ユニットの模式的な構成図である。
【符号の説明】
２０，２０Ｂ  表示調整部（表示調整装置）、２０Ｌ，６１Ｌ，６２Ｌ１，６２Ｌ２  伝送ライン、２１  色度範囲決定部、２２，２２Ｂ  パラメータ演算部（演算部）、２４，４４  表示ユニット情報送受信部、３０，３０Ｂ〜３０Ｄ  表示部、４０，４０Ｂ〜４０Ｄ  表示ユニット、４１  通信制御部、４２  記憶部、４３，４３Ｂ  画像データ受信部、４５  色度変換部、４８，４８Ｂ  発光部、４９  サブユニット、５１  パラメータ切替部、６２  伝送信号混合／分離部（受信信号処理部）、１００，１００Ｂ〜１００Ｄ  表示装置、ＣＬ  表示特性情報、Ｄ，Ｄ１  画像データ、Ｄ４９  画像情報、Ｉ  機器番号、Ｊ  サブユニット番号、Ｍ  混合信号、Ｐ  色度変換パラメータ、Ｒ  色度範囲（所定の色度範囲（情報））。
【図１】
0003681961.tif 000002
【図２】
0003681961.tif 000003
【図３】
0003681961.tif 000004
【図４】
0003681961.tif 000005
【図５】
0003681961.tif 000006
【図６】
0003681961.tif 000007
【図７】
0003681961.tif 000008
【図８】
0003681961.tif 000009
【図９】
0003681961.tif 000010
【図１０】
0003681961.tif 000011
【図１１】
0003681961.tif 000012